(57)【特許請求の範囲】
【請求項１】
自動販売機の本体前面に備えた扉体は内側から順に扉フレームと、アクリル板等の透視可能な透明パネルと、前記パネルの外周には前記パネル面に当接する当接部と係止爪を有する取付枠を備え、前記透明パネルに形成した孔部を貫通して取付部材によって前記透明パネルを扉フレームに固定する商品名板装置において、前記孔部の外形寸法は前記取付部材の外形寸法よりも大きく形成され、前記係止爪によって前記取付部材に係止させることで前記当接部が前記パネルに圧接することで前記扉フレームに固定されたことを特徴とする自動販売機の商品銘板装置。
【請求項２】
取付枠の当接部は複数備えられ、前記当接部間あるいは前記当接部と隣り合って形成された係止爪間にパッキンを挿入配置し、前記パッキンを扉フレームに圧接することで扉フレームと透明パネル間をシールすることを特徴とする請求項１に記載の自動販売機の商品銘板装置。
【請求項３】
取付枠の当接部は複数備えられ、前記当接部間あるいは前記当接部と隣り合って形成された係止爪間にパッキンを挿入配置し、前記パッキンをパネルに圧接することで扉フレームと透明パネル間をシールすることを特徴とする請求項１に記載の自動販売機の商品銘板装置。
【請求項４】
取付枠は硬質性の樹脂材料で形成され、少なくとも透明パネルまたは扉フレームに当接する当接部の先端部は軟質性の樹脂材料で一体成形されたことを特徴とする請求項１に記載の自動販売機の商品銘板装置。
【請求項５】
透明パネルに形成した孔部を除去して扉フレームの中央方向に短くしたパネルと、取付枠の厚みを薄型化させた前記取付枠を備えたことを特徴とする請求項１から４のいずれか一項に記載の自動販売機の商品銘板装置。
【請求項６】
小型パネルの外周端面と接触しないようにした取付枠を備えたことを特徴とする請求項５に記載の自動販売機の商品銘板装置。
【請求項７】
扉フレームの外郭端面よりも前記扉フレームの中央方向に短くした取付枠を備えたことを特徴とする請求項１から６のいずれか一項に記載の自動販売機の商品銘板装置。
【発明の詳細な説明】
【技術分野】
【０００１】
本発明は、商品銘板装置に関するものであり、特に自動販売機に搭載するのに適した商品銘板装置に関するものである。
【背景技術】
【０００２】
従来、この種の商品銘板装置は扉体に設けられた取付板の表面側に透明またはスモーク系の有色で光透過性のパネルが配置され、このパネルの裏面側（取付板側）に商品銘板等が取付けられる複数の商品表示部があり、パネルの周囲が取付けられているものがある（例えば、特許文献１参照）。
【０００３】
図７は、特許文献１に記載された従来の商品銘板装置の斜視図である。図８は、特許文献１に記載された従来の商品銘板装置の断面図である。図７、８に示すように、自動販売機の扉体を形成する縦長の長方形枠状に構成された扉フレーム１と、複数の窓孔が配列形成され、この窓孔の後方から飲料の種類を表示した図示しないフレーバーカードを装着できるように構成され、扉フレーム１の開口部に勘合し、固定される取付板２と、取付板２の表示側に、例えばアクリル板等の透明またはスモーク系の有色で光透過性で図示しないフレーバーカードを透視可能とするパネル３と、パネル３の右側と取付板２を扉フレーム１に取付ける取付枠右４と、パネル３の左側と取付板２を扉フレーム１に取付ける取付枠左５と、パネル３の上側と取付板２を扉フレーム１に取付ける取付枠上６と、取付枠右４と取付枠左５と取付枠上６を扉フレーム１に固定するためのネジ７と、パネル３の表面側から取付板２を挿通して取付固定する商品選択用のボタン８から構成されている。
【０００４】
以上のように、構成された商品銘板装置について、以下その動作を説明する。
【０００５】
パネル３を破損または汚れのために交換するときは、パネル３を通じて取付板２に取付けされている全てのボタン８を取外し、図示しないコイン返却レバーと商品取出口等についても取外し、パネル３の周囲を保持している取付枠右４と取付枠左５と取付枠上６を複数個のネジ７を外すことによって扉フレーム１から外し、取付板２からパネル３を外すことができる。
【特許文献１】特開２０００−１１３２９１号公報
【発明の開示】
【発明が解決しようとする課題】
【０００６】
しかしながら、上記従来の構成では、パネル３の交換に扉フレーム１から複数個のネジ７を外さなければ、パネル３を保持している取付枠４と取付枠左５と取付枠上６を全て外すことができず、パネル３の取付け及び取外しに時間がかかる問題がある。このようなメンテナンス等の作業に時間がかかると、販売停止している時間が長くなるので、販売機会を失うことがあり、稼動効率が低下するという課題を有していた。
【０００７】
本発明は、従来の課題を解決するもので、パネル３の交換において取付け及び取外しを短時間で容易に行える商品銘板装置を提供することを目的とする。
【課題を解決するための手段】
【０００８】
上記従来の課題を解決するために、本発明の商品銘板装置は、取付枠右と取付枠左と取付枠上と取付枠下のそれぞれに形成された係止爪を取付部材に勘合することで前記取付枠右と前記取付枠左と前記取付枠上と前記取付枠下が前記取付部材に取付られて、パネルの当接部が前記パネルの外周の浮き上がりを防止している。
【０００９】
これによって、前記パネルを交換する場合には、前記取付部材を外すことなく、前記取付枠右と前記取付枠左と前記取付枠上と前記取付枠下を工具なしで取外すことが可能となり、扉フレームから前記パネルを外すことができ、短時間で容易に前記パネルの交換が可能となる。また、前記扉フレームの裏面側からネジで前記取付枠右と前記取付枠左と前記取付枠上を固定しないために、ドア構造を制約のない簡単な構造にすることができ、低コストを実現することが可能となる。また、前記取付枠右と前記取付枠左と前記取付枠上と前記取付枠下のみ交換する場合があり、このときにはドアを開けることなく交換することが可能となる。
【００１０】
また、本発明の商品銘板装置は、前記取付枠右に形成された溝部にパッキンＡ及びパッキンＢを取付してから前記取付枠右に形成された前記係止爪を前記取付部材に勘合することで前記取付枠右と前記扉フレームの間で前記パッキンＡが圧接され、前記取付枠右と前記パネルの間で前記パッキンＢが圧接される。
【００１１】
これによって、前記扉フレームと前記パネルとの接触面からの水の浸入を防止することが可能となり、屋外での自動販売機の設置が可能となる。
【００１２】
また、本発明の商品銘板装置は、前記扉フレームの外郭端面まで前記パネルが構成された表面側に前記取付枠右を構成すると前記扉フレームから前記取付枠右までの寸法が高くなる。そこで、意匠的または外形寸法的に高くしたくない場合には、小型パネルのように前記取付部材の位置よりも前記扉フレームの中央方向に短くし、取付枠Ａのように前記取付部材の部分において前記扉フレームと前記取付枠Ａの間に前記小型パネルが構成されないようにする。
【００１３】
これによって、前記扉フレームから前記取付枠右までの寸法高さを低くすることが可能となる。
【００１４】
また、本発明の商品銘板装置は、自動販売機の設置時及び輸送時に太陽光が小型パネルにあたることによって、前記小型パネルが材質によっては熱膨張して外形寸法が長くなるが、取付枠Ｂに規制されて、前記小型パネルが変形する可能性がある。そこで、前記取付枠Ｂのように前記小型パネルの外周端面と前記取付枠Ｂの前記当接部の間に熱膨張する寸法以上の隙間を設けるように構成する。
【００１５】
これによって、前記小型パネルの熱膨張による変形を防止することが可能となる。
また、本発明の商品銘板装置は、前記扉フレームに形成されている前記取付部材を取付けるための下穴が加工ばらつきによって基準値よりも前記扉フレームの外郭端面側にずれた場合に、前記扉フレームの外郭端面よりも取付枠Ｃがとび出し、前記取付枠Ｃが外れやすくなってしまう可能性がある。そこで、前記取付枠Ｃのように前記扉フレームの外郭端面と前記取付枠Ｃを加工ばらつき寸法の隙間を設けるように構成する。
【００１６】
これによって、前記取付枠Ｃが容易に外れることを防止することが可能となる。
【発明の効果】
【００１７】
本発明の自動販売機の商品銘板装置は、扉フレームに固定した取付部材に取付枠右と取付枠左と取付枠上と取付枠下を取付することでパネルの外周の浮き上がりを防止でき、脱着作業時に複数の取付部材を外す必要がないために、短時間で容易にパネルの交換が可能となる。また、取付枠右と取付枠と取付枠上と取付枠下を取付した状態では取付部材が全く見えないために、外観を損なうことなく、いたずら防止を図ることが可能となる。また、扉フレームの裏面側からネジで取付枠右と取付枠と取付枠上を固定しないために、ドア構造を制約のない簡単な構造にすることができ、低コストを実現することが可能となる。また、パネルを交換せずに、取付枠右と取付枠左と取付枠上と取付枠下のみ交換する場合があり、このときにはドアを開けることなく交換することが可能となる。
【発明を実施するための最良の形態】
【００１８】
請求項１に記載の発明は、自動販売機の本体前面に備えた扉体は内側から順に扉フレームと、アクリル板等の透視可能な透明パネルと、前記パネルの外周には前記パネル面に当接する当接部と係止爪を有する取付枠を備え、前記透明パネルに形成した孔部を貫通して取付部材によって前記透明パネルを扉フレームに固定する商品名板装置において、前記孔部の外形寸法は前記取付部材の外形寸法よりも大きく形成され、前記係止爪によって前記取付部材に係止させることで前記当接部が前記パネルに圧接することで前記扉フレームに固定されているために、前記パネルを通じて前記扉フレームに取付けされている全ての前記ボタンを取外し、前記パネルの周囲を保持している前記取付枠右前記と取付枠左と前記取付枠上と前記取付枠下を前記扉フレームから外し、前記パネルを外すことができる。よって、前記パネルを交換する場合には、前記取付部材を外すことなく、前記取付枠右と前記取付枠左と前記取付枠上と前記取付枠下を工具なしで取外すことが可能となり、脱着作業時に複数の前記取付部材を外す必要がないために、短時間で容易に前記パネルの交換が可能となる。また、前記取付枠右と前記取付枠左と前記取付枠上と前記取付枠下を取付した状態では前記取付部材が全く見えないために、外観を損なうことなく、いたずら防止を図ることが可能となる。また、前記扉フレームの裏面側からネジで前記取付枠右と前記取付枠左と前記取付枠上を固定しないために、ドア構造を制約のない簡単な構造にすることができ、低コストを実現することが可能となる。また、前記パネルを交換せずに、前記取付枠右と前記取付枠左と前記取付枠上と前記取付枠下のみ交換する場合があり、このときにはドアを開けることなく交換することが可能となる。
【００１９】
請求項２に記載の発明は、請求項１に記載の発明において、取付枠の当接部は複数備えられ、前記当接部間あるいは前記当接部と隣り合って形成された係止爪間にパッキンを挿入配置し、前記パッキンを扉フレームに圧接することで扉フレームと透明パネル間をシールするために、前記扉フレームと前記パネルとの接触面からの水の浸入を防止することが可能となり、屋外での自動販売機の設置が可能となる。
【００２０】
請求項３に記載の発明は、請求項１に記載の発明において、取付枠の当接部は複数備えられ、前記当接部間あるいは前記当接部と隣り合って形成された係止爪間にパッキンを挿入配置し、前記パッキンをパネルに圧接することで扉フレームと透明パネル間をシールするのでパッキンの取付けを簡単に行うことができパネル内への水の侵入を防止できる。
【００２１】
請求項４に記載の発明は、請求項１に記載の発明において、取付枠は硬質性の樹脂材料で形成され、少なくとも透明パネルまたは扉フレームに当接する当接部の先端部は軟質性の樹脂材料で一体成形されたので、部品数を低減でき、組み立て作業性も向上する。
【００２２】
請求項５に記載の発明は、請求項１から４のいずれか一項に記載の発明において、透明パネルに形成した孔部を除去して扉フレームの中央方向に短くしたパネルと、取付枠の厚みを薄型化させた前記取付枠を備えたものであり、扉フレームと取付枠の間に小型パネルが構成されないようにすることで高さを低くすることができる。
【００２３】
請求項６に記載の発明は、請求項５に記載の発明において、小型パネルの外周端面と接触しないようにした取付枠を備えたので熱膨張する寸法以上の隙間を設けるように構成することで小型パネルの熱膨張による取付枠の変形を防止できる。
【００２４】
請求項７に記載の発明は、請求項１から６のいずれか一項に記載の発明において、扉フレームの外郭端面よりも前記扉フレームの中央方向に短くした取付枠を備えたので扉フレームの外郭端面と取付枠の加工バラツキ寸法の隙間を備えて取付枠が容易に外れることを防止する。
【００２５】
以下、本発明による給水装置の実施の形態について、図面を参照しながら説明するが、従来例または先に説明した実施の形態と同一構成については、同一符号を付してその詳細な説明を省略する。なお、この実施の形態によってこの発明が限定されるものではない。
【００２６】
（実施の形態１）
図１は、本発明の実施の形態１による自動販売機の商品銘板装置の斜視図である。図２は、同実施の形態の自動販売機の商品銘板装置の断面図である。
【００２７】
図１、図２において、自動販売機の扉体を形成する縦長の長方形枠状に複数の窓孔が配列形成され、この窓孔の後方から飲料の種類を表示した図示しないフレーバーカードを装着できるように構成された扉フレーム１と、扉フレーム１の表示側に、例えばアクリル板等の透明またはスモーク系の有色で光透過性で図示しないフレーバーカードを透視可能とするパネル３と、パネル３の右側を扉フレーム１に取付ける取付枠右４と、パネル３の左側を扉フレーム１に取付ける取付枠左５と、パネル３の上側を扉フレーム１に取付ける取付枠上６と、パネル３の下側を扉フレーム１に取付ける取付枠下６ａと、パネル３の表面側から扉フレーム１を挿通して取付固定する商品選択用のボタン８と、扉フレーム１に取付し、取付枠右４と取付枠左５と取付枠上６と取付枠下６ａに勘合する取付部材となる段付きネジ９と、取付枠右４と取付枠左５と取付枠上６と取付枠下６ａに形成され、段付きネジ９と勘合する係止爪９ａと、取付枠右４と取付枠左５と取付枠上６と取付枠下６ａに形成され、パネル３の外周に当接して浮き上がりを防止する当接部９ｂが構成されている。
【００２８】
以上のように構成された自動販売機の商品銘板装置について、以下その動作を説明する。
【００２９】
まず、パネル３破損または汚れのために交換するときは、パネル３と扉フレーム１はボタン８等によって固定されているために、パネル３を通じて扉フレーム１に取付けされている全てのボタン８を取外し、図示しないコイン返却レバーと商品取出口等についても取外し、パネル３の周囲を保持している取付枠右４と取付枠左５と取付枠上６と取付枠下６ａを扉フレーム１から外し、パネル３を外すことができる。
【００３０】
ここで、取付枠右４と取付枠左５と取付枠上６と取付枠下６ａはパネル３の外周が浮き上がらないために取付けられており、パネル３と扉フレーム１を合せた状態で、段付きネジ９の外形寸法よりも大きく形成されたパネル３の孔部の中央に段付きネジ９がくるように段付きネジ９を扉フレーム１に取付けしてある。
【００３１】
そして、取付枠右４と取付枠左５と取付枠上６と取付枠下６ａのそれぞれに形成された係止爪９ａを段付きネジ９のネジ頭部に勘合することで取付枠右４と取付枠左５と取付枠上６と取付枠下６ａが段付きネジ９に取付られて、パネル３の当接部９ｂがパネル３の外周の浮き上がりを防止している。
【００３２】
よって、パネル３を交換する場合には、段付きネジ９を外すことなく、取付枠右４と取付枠左５と取付枠上６と取付枠下６ａを工具なしで取外すことが可能となり、扉フレーム１からパネル３を外すことができる。
【００３３】
以上のように、本実施の形態においては、扉フレーム１に固定した段付きネジ９に取付枠右４と取付枠左５と取付枠上６と取付枠下６ａを取付することでパネル３の外周の浮き上がりを防止でき、脱着作業時に複数の段付きネジ９を外す必要がないために、短時間で容易にパネル３の交換が可能となる。
【００３４】
また、本実施の形態では、取付枠右４と取付枠左５と取付枠上６と取付枠下６ａを取付した状態では段付きネジ９が全く見えないために、外観を損なうことなく、いたずら防止を図ることが可能となる。
【００３５】
また、本実施の形態では、従来例のように扉フレーム１の裏面側からネジ７で取付枠右４と取付枠左５と取付枠上６を固定しないために、ドア構造を制約のない簡単な構造にすることができ、低コストを実現することが可能となる。
【００３６】
また、本実施の形態では、取付枠右４と取付枠左５と取付枠上６と取付枠下６ａが破損または汚れのために交換するときまたは意匠を簡易的に変更する場合に、パネル３を交換せずに、取付枠右４と取付枠左５と取付枠上６と取付枠下６ａのみ交換する場合があり、このときにはドアを開けることなく交換することが可能となる。
【００３７】
また、本実施の形態では、取付枠右４と取付枠左５と取付枠上６と取付枠下６ａを段付きネジ９に取付することで固定しているが、扉フレーム１に穴を形成して取付枠右４と取付枠左５と取付枠上６と取付枠下６ａを直接固定する等の方法も可能である。
【００３８】
また、本実施の形態では、従来例の扉フレーム１と取付板２を組立時間の短縮及び低コストを図るために一体化する構造となっているが、従来例のように扉フレーム１に取付板２を取付する構造にも対応可能である。
【００３９】
また、本実施の形態では、取付枠右４と取付枠左５と取付枠上６と取付枠下６ａを取付しているが、パネル３の横方向が短くパネル３の浮き上がりに問題がない場合、意匠的に上下枠が必要ない場合等においては、取付枠上６と取付枠下６ａを取付しないで構成することも可能である。
【００４０】
また、本実施の形態では、取付枠右４と取付枠左５と取付枠上６と取付枠下６ａを全て記載したが、実施の形態２以降の説明では全て同一として、取付枠右４として説明する。
【００４１】
（実施の形態２）
図３は、本発明の実施の形態２による自動販売機の商品銘板装置の断面図である。
【００４２】
図３において、取付枠右４の当接部９ｂと外端の当接部９ｂの間に挿入配置され、扉フレーム１と圧接することで、ドア内部への水侵入防止を行うパッキンＡ１０と、取付枠右４の当接部９ｂと係止爪９ａの間に挿入配置され、パネル３と圧接することで、ドア内部への水侵入防止を行うパッキンＢ１１が構成されている。
【００４３】
本実施の形態は、実施の形態１による商品銘板装置に、さらに、パッキンＡ１０とパッキンＢ１１を設けたものである。
【００４４】
以上のように構成された自動販売機の商品銘板装置について、以下その動作を説明する。
【００４５】
まず、取付枠右４に形成された溝部にゴムまたは独立発泡フォーム等の材質であるパッキンＡ１０及びパッキンＢ１１を取付してから取付枠右４に形成された係止爪９ｂを段付きネジ９のネジ頭部に勘合することで取付枠右４と扉フレーム１の間でパッキンＡ１０が圧接され、取付枠右４とパネル３の間でパッキンＢ１１が圧接されるために、扉フレーム１とパネル３との接触面からの水の浸入を防止することが可能となり、屋外での自動販売機の設置が可能となる。
【００４６】
また、本実施の形態では、パッキンＡ１０及びパッキンＢ１１を取付枠右４に取付することで水の浸入を防止しているが、取付枠右４は硬質性の樹脂材料で形成して、少なくとも当接部９ｂの先端部を軟質性の樹脂材料で一体成形することでパッキンＡ１０及びパッキンＢ１１なしでも水の浸入を防止することが可能となる。
【００４７】
また、本実施の形態では、パッキンＡ１０及びパッキンＢ１１を取付しているが、取付枠右４とパネル３の間からの水の浸入の影響がない場合には、パッキンＢ１１のみの取付も可能である。
【００４８】
（実施の形態３）
図４は、本発明の実施の形態３による自動販売機の商品銘板装置の断面図である。
【００４９】
図４において、パネル３で段付きネジ９を挿通するために形成された孔部を除去して扉フレーム１の中央方向に短くした小型パネル１２と、取付枠右４の厚みを薄型化させた取付枠Ａ１３が構成されている。
【００５０】
本実施の形態は、実施の形態１による商品銘板装置に、さらに、小型パネル１２と取付枠Ａ１３を設けたものである。
【００５１】
以上のように構成された自動販売機の商品銘板装置について、以下その動作を説明する。
【００５２】
扉フレーム１の外郭端面までパネル３が構成された表面側に取付枠右４を構成すると扉フレーム１から取付枠右４までの寸法が高くなる。そこで、意匠的または外形寸法的に高くしたくない場合には、小型パネル１２のように段付きネジ９の位置よりも扉フレーム１の中央方向に短くし、取付枠Ａ１３のように段付きネジ９の部分において扉フレーム１と取付枠Ａ１３の間に小型パネル１２が構成されないようにすることで高さを低くすることが可能となる。
【００５３】
（実施の形態４）
図５は、本発明の実施の形態４による自動販売機の商品銘板装置の断面図である。
【００５４】
図５において、小型パネル１２の外周端面と接触しないようにした取付枠Ｂ１４が構成されている。
【００５５】
本実施の形態は、実施の形態３による装置に、さらに、取付枠Ｂ１４を設けたものである。
【００５６】
以上のように構成された自動販売機の商品銘板装置について、以下その動作を説明する。
【００５７】
自動販売機の設置時及び輸送時に太陽光が小型パネル１２にあたることによって、小型パネル１２が材質によっては熱膨張して外形寸法が長くなるが、取付枠Ｂ１２に規制されて、小型パネル１２が変形する可能性がある。そこで、取付枠Ｂ１２のように小型パネル１２の外周端面と取付枠Ｂ１４の当接部９ｂの間に熱膨張する寸法以上の隙間を設けるように構成することによって、小型パネル１２の熱膨張による変形を防止することが可能となる。
【００５８】
（実施の形態５）
図６は、本発明の実施の形態５による自動販売機の商品銘板装置の断面図である。
【００５９】
図６において、扉フレーム１の外郭端面よりも扉フレーム１の中央方向に短くした取付枠Ｃ１５が構成されている。
【００６０】
本実施の形態は、実施の形態３による装置に、さらに、取付枠Ｃ１５を設けたものである。
【００６１】
以上のように構成された自動販売機の商品銘板装置について、以下その動作を説明する。
【００６２】
扉フレーム１に形成されている段付きネジ９を取付けるための下穴が加工ばらつきによって基準値よりも扉フレーム１の当接部９ｂが外郭端面側にずれた場合に、扉フレーム１の外郭端面よりも取付枠Ｃ１５がとび出し、取付枠Ｃ１５が外れやすくなってしまう可能性がある。そこで、取付枠Ｃ１５のように扉フレーム１の外郭端面と取付枠Ｃ１５を加工ばらつき寸法の隙間を設けるように構成することによって、取付枠Ｃ１５が容易に外れることを防止することが可能となる。
【産業上の利用可能性】
【００６３】
以上のように、本発明にかかる商品銘板装置は、パネルの交換において取付け及び取外しを短時間で容易に行うことが可能となるので、自動販売機だけでなく、パネル等を交換する必要があり、短時間での作業を求められる商品銘板装置を搭載した商品に適用できる。
【図面の簡単な説明】
【００６４】
【図１】本発明による自動販売機の商品銘板装置の実施の形態１の斜視図
【図２】本発明による自動販売機の商品銘板装置の実施の形態１の断面図
【図３】本発明による自動販売機の商品銘板装置の実施の形態２の断面図
【図４】本発明による自動販売機の商品銘板装置の実施の形態３の断面図
【図５】本発明による自動販売機の商品銘板装置の実施の形態４の断面図
【図６】本発明による自動販売機の商品銘板装置の実施の形態５の断面図
【図７】従来の商品装置の斜視図
【図８】従来の商品装置の断面図
【符号の説明】
【００６５】
１    扉フレーム
２    取付板
３    パネル
４    取付枠右
５    取付枠左
６    取付枠上
６ａ  取付枠下
７    ネジ
８    ボタン
９    段付きネジ
９ａ  係止爪
９ｂ  当接部
１０  パッキンＡ
１１  パッキンＢ
１２  小型パネル
１３  取付枠Ａ
１４  取付枠Ｂ
１５  取付枠Ｃ
【図１】
0004797493.tif 000002
【図２】
0004797493.tif 000003
【図３】
0004797493.tif 000004
【図４】
0004797493.tif 000005
【図５】
0004797493.tif 000006
【図６】
0004797493.tif 000007
【図７】
0004797493.tif 000008
【図８】
0004797493.tif 000009